(57)【要約】手術ロボットシステムは、互いに回転可能に連結された複数の細長い部材を含むロボットアームと、細長い部材の１つに連結された第１の起動ボタンと、細長い部材の１つに連結された第１の力センサーと、プロセッサと、を含む。細長い部材の１つは、それに手術器具が取り付けられるように構成されている。第１の起動ボタンは、機能を作動させるように構成され、第１の力センサーは、第１の起動ボタンの作動に関連する力を感知するように構成されている。プロセッサは、第１の力センサーと通信し、第１の力センサーから受信したデータに基づいて、第１の起動ボタンの作動が意図的であるか偶発的であるかを判定するように構成されている。【選択図】図２
2021535801.tif 000002
【特許請求の範囲】
【請求項１】
手術ロボットシステムであって、
互いに回転可能に連結された複数の細長い部材を含むロボットアームであって、前記複数の細長い部材のうちの少なくとも１つは、それに手術器具が取り付けられるように構成されている、ロボットアームと、
前記複数の細長い部材のうちの少なくとも１つに連結され、機能を作動させるように構成されている第１の起動ボタンと、
前記複数の細長い部材のうちの少なくとも１つに連結され、前記第１の起動ボタンの作動に関連する力を感知するように構成されている第１の力センサーと、
前記第１の力センサーと通信するプロセッサであって、前記第１の力センサーから受信したデータに基づいて、前記第１の起動ボタンの作動が意図的であるか偶発的であるかを判定するように構成されているプロセッサと、を含む手術ロボットシステム。
【請求項２】
前記複数の細長い部材は、前記手術器具がスライド可能に連結されたレールを含み、前記第１の起動ボタンが前記レールと共に配置されている、請求項１に記載の手術ロボットシステム。
【請求項３】
前記手術ロボットシステムの器具駆動ユニットに取り付けられた第２の起動ボタンをさらに含み、前記器具駆動ユニットが、前記手術器具の動作を駆動するように構成されている、請求項２に記載の手術ロボットシステム。
【請求項４】
前記第２の起動ボタンの作動に関連する力を感知するように構成されている第２の力センサーをさらに含む、請求項３に記載の手術ロボットシステム。
【請求項５】
前記複数の細長い部材が、
第１の端部および第２の端部を有する第１の細長い部材と、
前記第１の細長い部材の前記第２の端部に回転可能に接続された第１の端部、および第２の端部を有する第２の細長い部材と、
前記第２の細長い部材の前記第２の端部に回転可能に接続された第１の端部、および第２の端部を有する第３の細長い部材と、
前記第３の細長い部材の前記第２の端部に回転可能に連結され、前記手術器具がスライド可能に連結されたレールであって、前記第１の起動ボタンがレールと共に配置されている、レールと、を含む請求項１に記載の手術ロボットシステム。
【請求項６】
ベースをさらに含み、前記第１の細長い部材の前記第１の端部が前記ベースに回転可能に連結された、請求項５に記載の手術ロボットシステム。
【請求項７】
前記手術器具、器具駆動ユニット、または前記ロボットアームに取り付けられ、機能を作動させるように構成されている第２の起動ボタンと、
前記ベースと共に配置され、前記第２の起動ボタンの作動に関連する力を感知するように構成されている第２の力センサーと、を含む請求項５に記載の手術ロボットシステム。
【請求項８】
前記第１の細長い部材が、前記第１のピボット軸を中心に前記ベースに対して回転するように構成されており、前記第２の細長い部材が、前記第１のピボット軸に対して垂直に延在する第２のピボット軸を中心に前記第１の細長い部材に対して回転するように構成されている、請求項６に記載の手術ロボットシステム。
【請求項９】
前記手術器具が、前記レールによって規定される長手方向軸に沿って動くように構成されている、請求項８に記載の手術ロボットシステム。
【請求項１０】
前記プロセッサは、前記第１の力センサーによって感知された前記力が最小閾値力を下回るか最大閾値を上回るかを判定することによって、前記第１の起動ボタンの作動が意図的であるか偶発的であるかを判定するように構成されている、請求項１に記載の手術ロボットシステム。
【請求項１１】
前記プロセッサは、前記第１の力センサーが前記力を感知する時間を判定するように構成されている、請求項１０に記載の手術ロボットシステム。
【請求項１２】
前記プロセッサは、前記判定された時間が最小閾値時間を下回るか最大閾値時間を上回るかを判定することによって、第１の起動ボタンの作動が意図的であるか偶発的であるかを判定するように構成されている、請求項１１に記載の手術ロボットシステム。
【請求項１３】
前記プロセッサが、前記第１の起動ボタンの作動と前記手術器具の関連機能の実行との間の時間を少なくとも最小閾値時間だけ遅延させるように構成されている、請求項１２に記載の手術ロボットシステム。
【請求項１４】
前記最大閾値力が、前記最小閾値力よりも大きい、請求項１０に記載の手術ロボットシステム。
【請求項１５】
前記最小および最大閾値力が等しい、請求項１０に記載の手術ロボットシステム。
【発明の詳細な説明】
【技術分野】
【０００１】
ロボット手術システムは、低侵襲医療処置で使用されてきた。いくつかのロボット手術システムは、手術ロボットアームと、ロボットアームに搭載された少なくとも１つのエンドエフェクタ（例えば、鉗子または把持ツール）または手術器具とをサポートするコンソールを含んでいた。ロボットアームは、その操作および動きのために手術器具に機械的な力を提供した。各ロボットアームは、手術器具に動作可能に接続された器具駆動ユニットを含んでいたこともある。
【背景技術】
【０００２】
器具駆動ユニットは、通常、レールを介してロボットアームに連結されていた。レールは、器具駆動ユニットと、取り付けられた手術器具とがレールの軸に沿って動くことを可能にし、手術器具のエンドエフェクタの軸方向位置を調整するための手段を提供していた。
【発明の概要】
【課題を解決するための手段】
【０００３】
本開示の一態様では、手術ロボットシステムが提供され、互いに回転可能に連結された複数の細長い部材を含むロボットアームと、複数の細長い部材の１つに連結された第１の起動ボタンと、細長い部材の１つに連結された第１の力センサーと、プロセッサと、を含む。細長い部材のうちの１つは、それに手術器具が取り付けられるように構成されている。第１の起動ボタンは、機能を作動させるように構成され、第１の力センサーは、第１の起動ボタンの作動に関連する力を感知するように構成されている。プロセッサは、第１の力センサーと通信し、第１の力センサーから受信したデータに基づいて、第１の起動ボタンの作動が意図的であるか偶発的であるかを判定するように構成されている。
【０００４】
態様では、細長い部材は、手術器具がスライド可能に連結されたレールを含んでもよい。第１の起動ボタンが、レールと共に配置されてもよい。
【０００５】
いくつかの態様では、手術ロボットシステムは、手術ロボットシステムの器具駆動ユニットに取り付けられた第２の起動ボタンをさらに含んでもよい。器具駆動ユニットは、手術器具の動作を駆動するように構成されてもよい。
【０００６】
さらなる態様では、手術ロボットシステムは、第２の起動ボタンの作動に関連する力を感知するように構成されている第２の力センサーをさらに含んでもよい。
【０００７】
他の態様では、細長い部材は、第１の端部および第２の端部を有する第１の細長い部材と、第１の細長い部材の第２の端部に回転可能に接続された第１の端部を有する第２の細長い部材と、第２の細長い部材の第２の端部に回転可能に接続された第１の端部を有する第３の細長い部材と、第３の細長い部材の第２の端部に回転可能に連結されたレールと、を含んでもよい。レールには、手術器具がスライド可能に連結されてもよく、第１の起動ボタンは、レールと共に配置されてもよい。
【０００８】
一態様では、手術ロボットシステムは、第１の細長い部材の第１の端部が回転可能に連結されたベースをさらに含んでもよい。
【０００９】
いくつかの態様では、手術ロボットシステムは、手術器具、器具駆動ユニット、またはロボットアームに取り付けられた第２の起動ボタンと、ベースと共に配置された第２の力センサーと、をさらに含んでもよい。第２の起動ボタンは、機能を作動させるように構成されてもよく、第２の力センサーは、第２の起動ボタンの作動に関連する力を感知するように構成されてもよい。
【００１０】
さらなる態様では、第１の細長い部材は、第１のピボット軸を中心にベースに対して回転するように構成されていてもよく、第２の細長い部材は、第１のピボット軸に対して垂直に延在する第２のピボット軸を中心に第１の細長い部材に対して回転するように構成されていてもよい。
【００１１】
他の態様では、手術器具は、レールによって規定される長手方向軸に沿って動くように構成されていてもよい。
【００１２】
一態様では、プロセッサは、第１の力センサーによって感知された力が最小閾値力を下回るか最大閾値力を上回るかを判定することによって、第１の起動ボタンの作動が意図的であるか偶発的であるかを判定するように構成されていてもよい。
【００１３】
いくつかの態様では、プロセッサは、第１の力センサーが力を感知する時間を判定するように構成されていてもよい。
【００１４】
さらなる態様では、プロセッサは、判定された時間が最小閾値時間を下回るか最大閾値時間を上回るかを判定することによって、第１の起動ボタンの作動が意図的であるか偶発的であるかを判定するように構成されていてもよい。
【００１５】
他の態様では、プロセッサは、第１の起動ボタンの作動と手術器具の関連機能の実行との間の時間を少なくとも最小閾値時間だけ遅らせるように構成されていてもよい。
【００１６】
一態様では、最大閾値力は、最小閾値力よりも大きくてもよい。
【００１７】
他の態様では、最小および最大閾値力は等しくてもよい。
【００１８】
本開示の例示的な実施形態のさらなる詳細および態様が、添付の図を参照して以下により詳細に記載される。
【００１９】
本明細書で使用される場合、平行した、および垂直なという用語は、真の平行および真の垂直から最大で約＋または−１０度まで、実質的に平行および実質的に垂直である、相対的な構成を含むものと理解される。
【図面の簡単な説明】
【００２０】
添付の図面を参照して、本開示の実施形態を本明細書に記載する。
【００２１】
【図１】本開示による手術ロボットアームを含むロボット手術システムの概略図である。
【図２】手術器具およびベースに連結された図１の手術ロボットアームの側面斜視図である。
【発明を実施するための形態】
【００２２】
本開示の手術ロボットシステムの実施形態は、図面を参照して詳細に説明され、図面において、同様の参照番号は、いくつかの図の各々において同一または対応する要素を示す。本明細書で使用される場合、「遠位」という用語は、患者により近い、ロボット手術システム、またはその構成要素のその部分を指し、一方で、「近位」という用語は、患者からより遠い、ロボット手術システム、またはその構成要素のその部分を指す。
【００２３】
以下で詳細に説明するように、互いに相互接続され、互いに対して回転可能な複数の細長い部材またはリンクを含む手術ロボットアームが提供される。ロボットアームは、１つ以上の起動ボタンの作動に関連する力を感知するように構成されている１つ以上の力センサーを有する。起動ボタンは、ロボットアーム、ロボットアーム上でスライド可能に支持される器具駆動ユニット／手術器具、またはロボットアームが旋回可能に支持されるベースに取り付けられてもよい。１つ以上の力センサーによって感知された力に基づいて、１つ以上の起動ボタンの作動が意図的（例えば、臨床医による意図的な作動）であったか偶発的（例えば、起動ボタンと手術室内の物体との偶発的な接触）であったかを判定するように適合されたプロセッサが提供される。
【００２４】
まず図１を参照すると、例えば、ロボット手術システム１のような手術システムは、概して、器具駆動ユニット１００および電気機械器具１０が取り外し可能に取り付けられた複数の手術ロボットアーム２、３と、制御装置４と、制御装置４に連結された操作コンソール５と、を含む。
【００２５】
操作コンソール５は、特に３次元画像を表示するように設定された表示装置６と、人（図示せず）、例えば、外科医が、原則として当業者に知られているように、それによって第１の動作モードでロボットアーム２、３を遠隔操作することができる手動入力装置７、８とを含む。ロボットアーム２、３の各々は、以下により詳細に説明するように、ジョイントを介して接続されている複数の部材から構成されてもよい。ロボットアーム２、３は、制御デバイス４に接続されている、電気駆動装置（図示せず）によって駆動され得る。制御デバイス４（例えば、コンピュータ）は、ロボットアーム２、３と、取り付けられた器具駆動ユニット１００と、したがって電気機械器具１０とが、手動入力デバイス７、８によって規定される動きに従って所望の動きを実行するように、特にコンピュータプログラムによって、駆動装置を作動させるように設定される。制御デバイス４は、ロボットアーム２、３および／または駆動装置の動きを調整するように設定することもできる。
【００２６】
ロボット手術システム１は、手術器具、例えば、電気機械器具１０によって低侵襲的に治療される手術テーブル「ＳＴ」上に横たわる患者「Ｐ」上での使用のために構成される。ロボット手術システム１はまた、３つ以上のロボットアーム２、３を含んでもよく、同様に、付加的なロボットアームが制御デバイス４に接続され、操作コンソール５によって遠隔操作可能である。手術器具、例えば、電気機械手術器具１０はまた、追加のロボットアームに取り付けられてもよい。
【００２７】
制御デバイス４は、複数のモータ、例えば、モータ（モータ１．．．ｎ）を制御してもよく、各モータは、ロボットアーム２、３の動きを複数の方向に駆動するように構成される。さらに、制御装置４は、手術ロボットアーム２の細長い部材の相対回転を駆動するように構成された、例えば、中空コアモータなどのモータを制御してもよい。
【００２８】
ロボット手術システムの構成および動作の詳細な説明については、「Ｍｅｄｉｃａｌ  Ｗｏｒｋｓｔａｔｉｏｎ」と題された米国特許第８，８２８，０２３号を参照することができ、その内容全体は、参照により本明細書に組み込まれる。
【００２９】
図２を参照すると、手術ロボットアーム２は、その上に器具駆動ユニット１００を支持し、器具駆動ユニット１００および取り付けられた手術器具１０を、患者の小さな切開（例えば、遠隔運動中心）に対して、手術器具１０を小さな切開内に維持しながら、複数の方向に選択的に動かすように構成されている。アーム２は、アーム２に様々な自由度を提供するために互いに枢動可能に接続された複数の細長い部材またはリンク１１０、１２０、１３０を含む。特に、ロボットアーム２は、第１の細長い部材１１０、第２の細長い部材１２０、第３の細長い部材１３０、および第４の細長い部材またはレール１４０を含む。
【００３０】
第１の細長い部材は、第１の端部１１０ａおよび第２の端部１１０ｂを有する。第１の端部１１０ａは、コネクタ１１２に回転可能に連結される。コネクタ１１２は、固定された表面またはベース１１４、例えば、手術カート、手術テーブル、支柱、ガントリー、手術室の壁もしくは天井、または手術室に存在する他の表面に回転可能に連結される。第１の細長い部材１１０の第１の端部１１０ａは、長手方向軸「Ｘ」を中心にコネクタ１１２に対して回転可能であり、コネクタ１１２は、コネクタ１１２の長手方向軸「Ｘ」に対して垂直である旋回軸「Ｙ」を中心にベース１１４に対して旋回可能（または枢動可能、回転可能、もしくは関節運動可能）である。第１の細長い部材１１０の第２の端部１１０ｂは、第２の細長い部材１２０の１２０ａの第１の端部に連結され、第１の細長い部材１１０の第２の端部１１０ｂおよび第２の細長い部材１２０の第１の端部１２０ａを介して規定されるピボット軸を中心に第１の細長い部材１１０に対して回転するように構成されている。第３の細長い部材１３０は、第２の細長い部材１２０の第２の端部１２０ｂに回転可能に連結された第１の端部１３０ａ、および第２の端部１３０ｂを含む。
【００３１】
ロボットアーム２は、例えば、細長い部材１１０、１２０、１３０の相対回転を駆動するために、各関節に配置された、例えば、中空コアまたはパンケーキモータ（図示せず）などの複数のモータを有することが企図される。コネクタ１１２に対する第１の細長い部材１１０の回転を駆動するためのモータ（図示せず）もコネクタ１１２に提供されてもよく、ベース１１４に対して、取り付けられたロボットアーム２と共に、コネクタ１１２の旋回運動を駆動するためのモータ（図示せず）がベース１１４に提供されてもよい。
【００３２】
ロボットアーム２は、器具キャリア、スライド、またはレール１４０をさらに含む。レール１４０は、第３の細長い部材１３０の第２の端部１３０ｂに回転可能に連結された第１の端部１４０ａを有する。レール１４０は、手術器具１０がそれに沿ってスライド可能である長手方向軸を規定する。手術器具１０は、レール１４０上に支持されたモータ（複数可）（図示せず）または、制御装置４（図１）のモータ（１．．．ｎ）による選択的な作動時に、レール１４０によって規定される長手方向軸に沿って進むように構成されている。したがって、手術器具１０は、レール１４０に沿って選択された位置に動かすことができる。
【００３３】
手術ロボットシステム１は、手術器具１０または手術ロボットシステム１の他の任意の適切な構成要素の特定の機能を作動させるための複数の起動ボタン１５０、１５２、１５４と、複数のセンサー１５６、１５８、１６０、１６２、例えば、１つ以上の起動ボタン１５０、１５２、１５４の物理的作動に関連する力を感知するように構成されている力センサーなどと、センサー１５６、１５８、１６０および／またはボタン１５０、１５２、１５４と通信するプロセッサ「Ｐ」と、をさらに含む。
【００３４】
第１の起動ボタン１５０は、レール１４０に取り付けられ、レール１４０に対して所定の位置に器具駆動ユニット１００の選択的なロックをもたらすように構成されていてもよい。第１の起動ボタン１５０の作動は、例えば、コネクタ１１２によって規定される長手方向軸「Ｘ」を中心に、およびそれに対してロボットアーム２を回転させるなど、他の機能を実行してもよいと企図される。第２の起動ボタン１５２は、器具駆動ユニット１００に取り付けられ、器具駆動ユニット１００に対して手術器具１０の選択的なロックをもたらすように構成されていてもよい。第２の起動ボタン１５２の作動は、例えば、手術器具１０の長手方向軸を中心に器具駆動ユニット１００に対して手術器具１０を回転させるなど、他の機能を実行してもよいと企図される。第３の起動ボタン１５４は、レール１４０の第１の端部１４０ａに取り付けられ、レール１４０の端部で支持されるトロカールマウント１４２の一対のクランプアーム１４２ａ、１４２ｂの選択的なロックをもたらすように構成されていてもよい。第３の起動ボタン１５４の作動は、例えば、第３の細長い部材１３０の第２の端部１３０ｂおよびレール１４０の第１の端部１４０ａを介して垂直に延在するピボット軸を中心にレール１４０を回転させるなど、他の機能を実行してもよいと企図される。
【００３５】
いくつかの態様では、起動ボタン１５０、１５２、１５４は、手術ロボットシステム１の他の任意の適切な場所に位置してもよい。さらなる態様では、手術ロボットシステム１は、３つより多いまたは少ない起動ボタンを含んでもよい。
【００３６】
力センサー１５６、１５８、１６０、１６２は、手術ロボットシステム１の様々な場所に取り付けられている。例えば、第１の力センサー１５６は、第１の力センサー１５６が、長手方向軸「Ｘ」を中心にコネクタ１１２に対するロボットアーム２の回転に関連する力を感知するように、コネクタ１１２とロボットアーム２の第１の細長い部材１１０の第１の端部１１０ａとを接続するジョイントに取り付けられてもよい。したがって、第１の力センサー１５６は、第１の起動ボタン１５０および／または第２の起動ボタン１５２の作動に関連する力を感知してもよい。第２の力センサー１５８は、第２の力センサー１５８が、ピボット軸「Ｙ」を中心にベース１１４に対するロボットアーム２／コネクタ１１２の回転に関連する力を感知するように、ベース１１４とコネクタ１１２とを接続するジョイントに取り付けられてもよい。したがって、第２の力センサー１５８は、第１の起動ボタン１５０および／または第２の起動ボタン１５２の作動に関連する力を感知してもよい。第３の力センサー１６０は、第３の力センサー１６０が、第１の細長い部材１１０に対する第２の細長い部材１２０の回転に関連する力を感知するように、第１の細長い部材１１０の第２の端部１１０ｂと第２の細長い部材１２０の第１の端部１２０ａとを接続するジョイントに取り付けられてもよい。したがって、第３の力センサー１６０は、第３の起動ボタン１５４の作動に関連する力を感知してもよい。力センサーは、力感知抵抗器、力および／または圧力感知ＭＥＭＳデバイス、トルクセンサー、ひずみゲージなどであってもよい。
【００３７】
手術ロボットシステム１は、３つより多い力センサーを含んでもよい。例えば、手術ロボットシステム１は、器具駆動ユニット１００および取り付けられた手術器具１０をレール１４０に沿って動かすことを意図して器具駆動ユニット１００に加えられる力を感知するために、器具駆動ユニット１００とレール１４０との間のインターフェースに取り付けられた第４の力センサー１６２を含む。
【００３８】
プロセッサ「Ｐ」は、制御装置４（図１）に組み込まれるか、または、例えば、ベース１１４もしくはロボットアーム２などの手術ロボットシステム１の他の任意の適切な場所に配置されてもよい。プロセッサ「Ｐ」は、一時的なタイプのメモリ（例えば、ＲＡＭ）および／または非一時的なタイプのメモリ（例えば、フラッシュ媒体、ディスク媒体など）を含み得るメモリに動作可能に接続されてもよい。プロセッサ「Ｐ」は、プロセッサが、オープンおよび／またはクローズド制御ループ方式のいずれかに従って電源の出力を制御することを可能にする電源に動作可能に接続された出力ポートを含む。クローズドループ制御方式は、力センサー１５６、１５８、１６０、１６２が力を測定し、プロセッサ「Ｐ」にフィードバックを提供するフィードバック制御ループである。次いで、プロセッサ「Ｐ」は、電源に信号を送るように構成されており、電源は、手術ロボットシステム１に供給される電力を調整する。当業者は、プロセッサ「Ｐ」が、フィールドプログラマブルゲートアレイ、デジタルシグナルプロセッサ、およびそれらの組み合わせを含むが、それらに限定されない、本明細書で説明される計算および／または命令のセットを実行するように適合された任意の論理プロセッサ（例えば、制御回路）を使用することによって置き換えられてもよいことを理解するであろう。プロセッサ「Ｐ」は、力センサー１５６、１５８、１６０、１６２によって受信されたデータを処理し、それに応じて制御信号を電源に出力するためのソフトウェア命令を実行することができる。プロセッサ「Ｐ」によって実行可能なソフトウェア命令は、メモリに記憶される。
【００３９】
プロセッサ「Ｐ」は、起動ボタン１５０、１５２、１５４のいずれかの作動が、力センサー１５６、１５８、１６０、１６２の１つ以上から受信したデータに基づいて、臨床医による意図的な行為であるか偶発的なものであるかを判定するように構成されている。プロセッサ「Ｐ」は、力センサー１５６、１５８、１６０、１６２のいずれかによって感知された力が最小閾値力を下回るか、最大閾値力を上回るかを判定することによって、起動ボタン１５０、１５２、１５４のいずれかの作動が臨床医による意図的な行為であったか、偶発的なものであったか判定する。最小閾値力は、起動ボタン１５０、１５２、１５４の１つを押すために必要な最小量の力であり、一方、最大閾値力は、起動ボタン１５０、１５２、１５４の１つを押すために臨床医によって通常使用される力を超える力である。判定された力が閾値力を下回るか、または閾値力を上回る場合、プロセッサ「Ｐ」は、選択された起動ボタン１５０、１５２、または１５４の作動が偶発的であると判定し、起動ボタン１５０、１５２、または１５４の作動が関連する機能を引き起こすことを許可しない。実施形態では、最小および最大閾値力は同等であってもよい。他の実施形態では、最小閾値力は、最大閾値力未満である。
【００４０】
プロセッサ「Ｐ」は、力センサー１５６、１５８、１６０、１６２のうちの１つ以上が、起動ボタン１５０、１５２、１５４の１つの作動に関連する力を感知する時間を判定するようにさらに構成されていてもよい。判定された時間が最小閾値時間を下回るか、または最大閾値時間を超える場合、プロセッサ「Ｐ」は、選択された起動ボタン１５０、１５２、１５４の作動が偶発的であったと判定し（例えば、ロボットアーム２が手術室内の物体にぶつかるか、または起動ボタン１５０、１５２、もしくは１５４が故障しいる）、起動ボタン１５０、１５２、１５４の作動が関連する機能をもたらすことを許可しない。したがって、プロセッサ「Ｐ」は、起動ボタン１５０、１５２、１５４の１つが作動してから関連する機能が実行されるまでの時間を、少なくとも最小閾値時間だけ遅らせる。実施形態では、最小閾値時間と最大閾値時間は同等である。他の実施形態では、最小閾値時間は、最大閾値時間未満である。
【００４１】
判定された力が最小閾値力と最大閾値力の間にあり、判定された時間が最小閾値時間と最大閾値時間の間にある場合、プロセッサ「Ｐ」は、関連する機能をもたらすために起動ボタン１５０、１５２、１５４の作動を許容にするように構成されている。
【００４２】
メモリは、センサー１５６、１５８、１６０、１６２の場所をメモリ中に記憶してもよく、プロセッサ「Ｐ」が、センサー１５６、１５８、１６０、１６２の場所および判定された力に基づいて、システムに加えられる負荷を逆算するようにしてもよい。例えば、力センサー１６０などのロボットアーム２上の力センサーの１つが１０Ｎの力を測定し、スライド１４０上の力センサー１６２が２０Ｎの力を測定する場合、プロセッサ「Ｐ」は、システムの他の場所に追加の負荷があると推定するように構成されていてもよい。プロセッサ「Ｐ」は、人がシステムに寄りかかったときにシステムにかかるモーメント負荷を判定するために形状および構成を使用するようにさらに構成されていてもよい。
【００４３】
いくつかの実施形態では、手術ロボットシステム１は、起動ボタン１５０、１５２、１５４の作動が意図的または偶発的であるときに臨床医に警告する特徴を備えていてもよい。例えば、手術ロボットシステム１は、起動ボタン１５０、１５２、１５４の作動が意図的か偶発的かが判明したことに応じて、オンまたはオフになるロボットアーム２上のライト（例えば、ＬＥＤ）を含んでもよい。手術ロボットシステム１はまた、起動ボタン１５０、１５２、１５４の作動が意図的か偶発的かかが判明したことに応じて、音を発するスピーカーを備えていてもよい。
【００４４】
本明細書に開示された実施形態に様々な変更が加えられ得ることが理解されるであろう。したがって、上記の説明は、限定するものとして解釈されるべきではなく、単に様々な実施形態の例示として解釈されるべきである。当業者は本明細書に添付される特許請求の範囲および趣旨内で他の修正を想定するであろう。
【図１】
2021535801.tif 000003
【図２】
2021535801.tif 000004
【国際調査報告】
2021535801.tif 000005
2021535801.tif 000006
2021535801.tif 000007
2021535801.tif 000008